(57)【要約】【課題】電力を不要に浪費することなく、テレビ放送に含まれる緊急警報放送をキャッチして、ユーザが必要とする警報情報を的確にユーザに提示することのできる受信装置を提供する。【解決手段】伝送制御信号に含まれる緊急警報放送用自動起動フラグを誤って１と受信することによる不必要な電力消費を抑える。メモリ部９により保持された伝送制御信号から、同期検出部１０により同信号を検出する。また、メモリ部９により保持された伝送制御信号から、演算部１１により緊急警報放送用自動起動フラグと、伝送制御信号にあるパリティの一部との間で多数決演算を行うことにより、緊急警報放送用自動起動フラグの状態検出の信頼性を高める。【選択図】図２
2014225853.tif 000002
【特許請求の範囲】
【請求項１】
地上デジタルテレビ放送の伝送制御信号キャリヤを受信し、前記伝送制御信号キャリヤから伝送制御信号を復調する受信装置と、
伝送制御信号を保持するメモリ部と、
前記メモリ部に保持された伝送制御信号から、同期信号を抽出する同期検出部と、
前記メモリ部に保持された伝送制御信号から、緊急警報放送用起動フラグ及びパリティビット列の一部分を抽出し、これらから緊急警報放送用起動フラグの状態を推定する演算部と、
を備えることを特徴とする緊急警報放送信号の受信装置。
【請求項２】
前記演算部が、緊急警報放送用起動フラグと、パリティビット列の一部分との多数決演算により緊急警報放送用起動フラグの状態を推定する、ことを特徴とする請求項１に記載の緊急警報放送信号の受信装置。
【請求項３】
前記演算部が、前記伝送制御信号の位相基準信号を除いたビット列の先頭から、２６ビット目の値と１５４ビット目の値と、１９８ビット目の値を用い、
２６ビット目の値が１であることと、
１５４ビット目の値が１であることと、
１９８ビット目の値が０であること
とを用いることを特徴とする請求項１又は２に記載の緊急警報放送信号の受信装置。
【請求項４】
リレー回路と、誘導灯とが付加され、前記緊急警報放送受信装置により、緊急警報放送用起動フラグがオンであると推定されたときに、リレー回路を接にして誘導灯を点灯させることを特徴とする請求項１ないし３のいずれかに記載の緊急警報放送信号の受信装置。
【請求項５】
受信した電波からトランスポートストリームを復調する地上デジタルテレビ受信チューナと、前記チューナにより復調されたトランスポートストリームから映像や音声を復調する映像変換装置と、前記映像変換装置から復調された映像や音声をユーザに提示する映像表示装置と、前記チューナにより復調されたトランスポートストリームから緊急警報放送記述子を復調して電源の供給を制御する自動起動判定装置と、地上デジタルテレビ放送の伝送制御信号キャリヤを受信し、前記伝送制御信号キャリヤから伝送制御信号を復調する受信装置と、前記受信装置から緊急警報用起動フラグの状態を抽出する緊急警報放送受信装置とを含むテレビ受信機の受信方法であって、前記自動起動判定装置における起動判定が、緊急警報放送受信装置により緊急警報放送用起動フラグが１であるかどうかの判定を行い、もし緊急警報放送用起動フラグが０であれば初期状態に遷移するステップ１と、
もし緊急警報放送用起動フラグが１であればチューナ２に電源が供給され、トランスポートストリームの復調が開始されるステップ２と、
トランスポートストリームを受け取った自動起動判定装置がパケットＩＤが０番である番組割り当てテーブル信号パケットが現れるまで待機し、ＰＡＴ信号パケットが現れたならその記述内容からＰＭＴ信号パケットのパケットＩＤを抽出するステップ３と、
ステップ３において抽出されたパケットＩＤ番号を持つＰＭＴ信号パケットが現れるまで待機し、ＰＭＴ信号パケットが現れたならばその記述内容のうち緊急警報放送記述子を抽出するステップ４と、
緊急警報放送記述子が存在するかの判定が行われるステップ５と、
ステップ５にて緊急警報放送記述子が存在しないと判定されたとき、チューナ２の電源供給を遮断して、初期状態に遷移するステップ６と、
緊急警報放送記述子が存在するのであれば、その内容である緊急警報放送を実施するＰＭＴ信号のパケットＩＤ、緊急警報時には１と、また、試験放送時には０となるフラグ、地震警報では０と、また、津波警報では１となる信号及び２ビット長の情報であり対象地域を示す信号を読み取り、あらかじめ受信機で設定された地域設定と照合することにより、自動起動の判定を行うステップ７と、
ステップ７において自動起動しないと判定されたとき、ステップ６によりチューナの電源供給を遮断して、初期状態に遷移するとともに、自動起動すると判定されたとき、映像変換装置および映像表示装置の両方に対して電源供給を行い、ユーザに緊急状態にあることを提示するステップ８と、
からなることを特徴とする緊急警報放送信号の受信方法。
【発明の詳細な説明】
【技術分野】
【０００１】本発明は、地上デジタルテレビ放送における緊急警報放送信号の受信装置及び受信方法に関するものである。
【背景技術】
【０００２】  現在、ＩＳＤＢ−Ｔ（Ｉｎｔｅｇｒａｔｅｄ  Ｓｅｒｖｉｃｅｓ  Ｄｉｇｉｔａｌ  Ｔｅｌｅｖｉｓｉｏｎ  Ｂｒｏａｄｃａｓｔｉｎｇ−Ｔｅｒｒｅｓｔｒｉａｌ）方式と呼ばれるＡＲＩＢ規格ＳＴＤ−Ｂ３１に基づく地上デジタルテレビ放送が実用化されている。【０００３】  大規模地震の警戒宣言が発令されたとき、津波警報が発令されたとき、または、都道府県知事からの要請があったとき、テレビ放送により緊急警報が行われることになっている。緊急警報放送の内容は災害報道であり、安全の呼びかけ、警報や注意報の状況、津波の到達予想時刻などが繰り返し放送される。【０００４】  ＩＳＤＢ−Ｔ方式のテレビ受信機の中には、緊急警報放送が行われたときに、自らの電源をオンにして特定テレビ放送局の放送を受信する機能を持つものがある。このような自動起動の原理は、受信機が電源オフのときにも特定テレビ放送局の電波を受信し続けることにある。【０００５】  具体的には、テレビ受信機は、放送局から送信される電波に含まれる信号のうち、受信機の復調動作に関わる情報を伝送するためのＴＭＣＣ（Ｔｒａｎｓｍｉｓｓｉｏｎ  ａｎｄ  Ｍｕｌｔｐｌｅｘｉｎｇ  Ｃｏｎｆｉｇｕｒａｔｉｏｎ  Ｃｏｎｔｒｏｌ：伝送制御）信号の中に含まれる情報と、受信機の映像情報を伝送するためのＰＭＴ（Ｐｒｏｇｒａｍ  Ｍａｐ  Ｔａｂｌｅ：番組マップテーブル）信号の中に含まれる情報から緊急警報放送実施の有無、津波と地震の区別、県単位の対象地域などを抽出し、その結果と設置場所などの設定に応じてテレビ受信機の自動起動を行うことになっている。【０００６】  ＴＭＣＣ信号は短時間で復調動作が設定されるようＤＢＰＳＫ（Ｄｉｆｆｅｒｅｎｔｉａｌ  Ｂｉ−Ｐｈａｓｅ  Ｓｈｉｆｔ  Ｋｅｙｉｎｇ）と呼ばれる基本的な伝送方法が用いられている。一方、ＰＭＴ信号は柔軟な映像・音声・データの編成が行えるようにインターリーブや階層合成を用いた高度な伝送方法が用いられている。そのため、ＰＭＴ信号の復調に比べて、ＴＭＣＣ信号の復調にはより多くの消費電力が必要になる。そこで、ＴＭＣＣ信号の中には緊急警報放送用起動フラグ（以下、緊急警報フラグという）のみが用意され、それ以外の詳細情報、たとえば津波と地震の区別などはＰＭＴ信号に含まれる緊急警報放送記述子により伝送される。このことにより、電源オフのテレビ受信機が緊急警報放送を待ち受け受信するためには、ＴＭＣＣ信号のみを受信して、ＴＭＣＣ信号に含まれる緊急警報フラグが０から１に変化した時点で、ＰＭＴ信号の受信を開始し、ＰＭＴ信号に含まれる緊急警報放送記述子の内容を解釈して、その設定に応じて自動起動すればよい。ＴＭＣＣ信号は２０４ビットからなり、緊急警報フラグ（１ビット）のほかに、位相基準（１ビット）、フレーム同期情報（１６ビット）、システム状態を表す情報（９ビット）、変復調情報（８０ビット）、連結送信位相補量情報（３ビット）、将来の利用のためのリザーブ（１２ビット）、そしてこれらの情報の受信誤りを訂正するためのパリティビット（８２ビット）が含まれる。【０００７】  ＴＭＣＣ信号には受信動作のための重要な情報が含まれるために、複数ビットの受信誤りが生じても、冗長情報であるパリティビットを用���てそれらの誤りを訂正することができる。しかし、そのためには受信ビット列に対して多項式の割り算のあまりを求めて、さらに因数分解を行い誤りビットを推定する動作が必要になる。そのために通常はパリティビットによる誤り訂正は緊急警報放送の待機受信に用いることは困難である。【０００８】  特許文献１および非特許文献１には、待機消費電力を抑えて動作し、電源の入っていないテレビ受信機に対して緊急警報放送が行われた旨を知らせる技術が開示されている。この技術は、ＴＭＣＣ信号を受信する専用の受信装置を別途用意して、ＴＭＣＣ信号の先頭から電源を投入し、緊急警報フラグが受信された時点で電源を遮断する技術である。【０００９】  特許文献２には、ＴＭＣＣ信号にある緊急警報フラグを誤って受信することによる待機消費電力の増加を低減する技術が開示されている。この技術は、ＴＭＣＣ信号のフレーム間にて間欠受信を行う受信機において、緊急警報フラグの０から１への変化を検出した場合にフレーム間欠受信を解除して連続して緊急警報フラグを観測して、複数フレーム間での緊急警報フラグの多数決にて緊急警報フラグが１であることを判定する技術である。【００１０】  特許文献３の技術には、ＴＭＣＣ信号にある緊急警報フラグを用いる代わりに、ＴＭＣＣ信号の中のリザーブビット（１２ビット）を利用することで緊急警報を誤って受信することによる誤報を回避する技術が開示されている。このリザーブビットを緊急警報電文（８ビット）と誤り訂正のためのパリティ（４ビット）に分配して、このパリティビットにより緊急警報電文の受信誤りを訂正する技術である。
【先行技術文献】
【特許文献】
【００１１】
【特許文献１】特開２００６−３１９７７１号公報
【特許文献２】特開２００９−１１８３４１号公報
【特許文献２】特開２０１０−１３６３５４号公報
【非特許文献】
【００１２】
【非特許文献１】田口誠、濱住啓之、伊藤泰宏、“ワンセグサービス用緊急警報信号受信機の検討”、２００６年電子情報通信学会総合大会講演論文集、ＤＳ−２−６，２００６年３月。
【発明の概要】
【発明が解決しようとする課題】
【００１３】  本発明は、電源の入っていないテレビ受信機において、ＴＭＣＣ信号にある緊急警報フラグを誤って受信することにより、不必要にＰＭＴ信号を受信して電力を浪費するという課題を解決するものである。
【課題を解決するための手段】
【００１４】  本発明に係る緊急警報放送信号の受信装置は、地上デジタルテレビ放送の伝送制御信号キャリヤを受信し、前記伝送制御信号キャリヤから伝送制御信号を復調する受信装置と、伝送制御信号を保持するメモリ部と、前記メモリ部に保持された伝送制御信号から、同期信号を抽出する同期検出部と、前記メモリ部に保持された伝送制御信号から、緊急警報放送用起動フラグ及びパリティビット列の一部分を抽出し、これらから緊急警報放送用起動フラグの状態を推定する演算部と、を備えるものである。【００１５】  本発明においては、前記演算部が、緊急警報放送用起動フラグと、パリティビット列の一部分との多数決演算により緊急警報放送用起動フラグの状態を推定する機能を有するものである。【００１６】  また本発明においては、前記演算部が、前記伝送制御信号の位相基準信号を除いたビット列の先頭から、２６ビット目の値と１５４ビット目の値と、１９８ビット目の値を用い、２６ビット目の値が１であることと、１５４ビット目の値が１であることと、１９８ビット目の値が０であることとを用いるものである。【００１７】  さらに本発明は、リレー回路と、誘導灯とが付加され、前記緊急警報放送受信装置により、緊急警報放送用起動フラグがオンであると推定されたときに、リレー回路を接にして誘導灯を点灯させるものである。【００１８】  本発明は、受信した電波からトランスポートストリームを復調する地上デジタルテレビ受信チューナと、前記チューナにより復調されたトランスポートストリームから映像や音声を復調する映像変換装置と、前記映像変換装置から復調された映像や音声をユーザに提示する映像表示装置と、前記チューナにより復調されたトランスポートストリームから緊急警報放送記述子を復調して電源の供給を制御する自動起動判定装置と、地上デジタルテレビ放送の伝送制御信号キャリヤを受信し、前記伝送制御信号キャリヤから伝送制御信号を復調する受信装置と、前記受信装置から緊急警報用起動フラグの状態を抽出する緊急警報放送受信装置とを含むテレビ受信機の受信方法であって、前記自動起動判定装置における起動判定が、緊急警報放送受信装置により緊急警報放送用起動フラグが１であるかどうかの判定を行い、もし緊急警報放送用起動フラグが０であれば初期状態に遷移するステップ１と、もし緊急警報放送用起動フラグが１であればチューナ２に電源が供給され、トランスポートストリームの復調が開始されるステップ２と、トランスポートストリームを受け取った自動起動判定装置がパケットＩＤが０番である番組割り当てテーブル信号パケットが現れるまで待機し、ＰＡＴ信号パケットが現れたならその記述内容からＰＭＴ信号パケットのパケットＩＤを抽出するステップ３と、ステップ３において抽出されたパケットＩＤ番号を持つＰＭＴ信号パケットが現れるまで待機し、ＰＭＴ信号パケットが現れたならばその記述内容のうち緊急警報放送記述子を抽出するステップ４と、緊急警報放送記述子が存在するかの判定が行われるステップ５と、ステップ５にて緊急警報放送記述子が存在しないと判定されたとき、チューナ２の電源供給を遮断して、初期状態に遷移するステップ６と、緊急警報放送記述子が存在するのであれば、その��容である緊急警報放送を実施するＰＭＴ信号のパケットＩＤ、緊急警報時には１と、また、試験放送時には０となるフラグ、地震警報では０と、また、津波警報では１となる信号及び２ビット長の情報であり対象地域を示す信号を読み取り、あらかじめ受信機で設定された地域設定と照合することにより、自動起動の判定を行うステップ７と、ステップ７において自動起動しないと判定されたとき、ステップ６によりチューナの電源供給を遮断して、初期状態に遷移するとともに、自動起動すると判定されたとき、映像変換装置および映像表示装置の両方に対して電源供給を行い、ユーザに緊急状態にあることを提示するステップ８と、からなる緊急警報放送信号の受信方法である。
【発明の効果】
【００１９】  本発明によれば、ＴＭＣＣ信号の中にある緊急警報フラグを誤って受信することによる誤報が低減されることで、不必要にＰＭＴ信号を受信する頻度が低くなり、ひいては電力の浪費が低減できる。
【図面の簡単な説明】
【００２０】
【図１】本発明に係る緊急警報放送信号の受信装置のブロック図である。
【図２】本発明による緊急警報放受信装置の詳細なブロック図である。
【図３】本発明における自動起動判定装置による受信方法を示すフローチャートである。
【図４】緊急警報放送が行われたときにその状況を正しく検出できる確率について、緊急警報フラグのみにより判断する従来法と本発明方法を比較した図である。
【図５】緊急警報放送が行われていないときに、誤って緊急警報が行われていると判定される確率について、緊急警報フラグのみにより判断する従来法と本発明方法を比較した図である。
【図６】緊急警報放送が行われたときにその状況を正しく検出できる確率と、緊急警報放送が行われていないときに誤って緊急警報放送が行われていると判断される確率との関係について、緊急警報フラグのみにより判断する従来法と本発明方法を比較した図である。
【図７】本発明に付加される誘導灯を点灯動作させるためのブロック図である。
【発明を実施するための形態】
【００２１】  ＴＭＣＣ信号にある緊急警報フラグ誤報を低減する目的を、現在実用化されているのデジタルテレビ受信機に大きな変更を加えることなく実現する実施形態、及びＴＭＣＣにある緊急警報放送フラグ誤報を低減する同じ目的を持ち、常時は点灯しないが緊急警報放送が行われている可能性のあるときに点灯する非常時の誘導灯を実現する実施形態につき説明する。
【００２２】  図１は、本発明を実施したテレビ受信機のブロック図を示すものである。
【００２３】  アンテナ１により受信されたデジタルテレビ電波は、地上デジタルテレビ受信チューナー２に入力される。このチューナー２ではＴＭＣＣ信号を受信して復調動作の設定を行い、さらにＰＭＴ信号やその他の映像情報を含む１８８バイト長パケットのＴＳ（Ｔｒａｎｓｐｏｒｔ  Ｓｔｒｅａｍ：トランスポートストリーム）と呼ばれるデジダル情報を復調する。このチューナ２はＤＩＲＤ（Ｄｉｇｉｔａｌ  Ｉｎｔｅｇｒａｔｅｄ  Ｒｅｃｅｉｖｅｒ  Ｄｅｃｏｄｅｒ）と呼ばれる一体型のＩＣで構成されるのが一般的である。チューナ２で復調されたＴＳは映像変換装置３により音声、映像、データの復調が行われて、その出力は映像表示装置４に供給されてユーザに映像等が提示される。これらを含み装置５はデジタルテレビを受信するための従来の構成と同一である。
【００２４】  電源の入っている状態のテレビ受信機は、ＴＭＣＣ信号とＰＭＴ信号との両方を常に受信しているので、この構成により緊急警報放送の受信が可能である。
【００２５】  本発明におけるテレビ受信機は、電源の入っていない状態であっても不必要な電力消費を抑えるために、チューナ２と、映像変換装置３及び映像表示装置４への電源供給を制御する。即ち、本発明は電源の入っていない状態のテレビ受信機の動作に特徴がある。電源の入っていないときには、チューナ２、映像変換装置３、および、映像表示装置３に電源は供給されない。
【００２６】  ここで、アンテナ１により受信されたデジタルテレビ電波はＴＭＣＣ受信装置６にも供給される。ＴＭＣＣ受信装置６は、ＴＭＣＣ信号が送信されるサブキャリヤ（ワンセグ帯域では全４３２サブキャリャのうち１０１番、１３１番、２８６番、および３４９番の４サブキャリヤがあり、ひとつのチャネル全帯域では全５６１７サブキャリヤのうち５２サブキャリヤがある）のひとつを受信して、ＤＢＰＳＫ復調した時系列のビット列を出力する装置である。
【００２７】  ＴＭＣＣ受信装置６で復調されたＴＭＣＣ信号は緊急警報放送受信装置７に供給される。緊急警報放送受信装置７では時系列ＴＭＣＣ信号から緊急警報フラグとパリティビットのうち緊急警報フラグが０から１への変化に伴い変化するビットを抽出し、例えばこれらの多数決から緊急警報フラグの状態の状態が０または１のいずれかであるかを判定する。
【００２８】  緊急警報放送受信装置７にて判定された緊急警報フラグの状態と、チューナ２により復調されたＴＳは、自動起動判定装置８に供給される。この自動起動判定装置８は、緊急警報放送受信装置７で緊急警報フラグの状態が１と判定されたならば、チューナ２に電源を供給し、さらにチューナ２が復調したＴＳを解釈することによりＰＭＴ信号を抽出して、その中に含まれる緊急警報放送記述子を抽出する。さらに、自動起動判定装置８は、緊急警報記述子の内容が、受信機にあらかじめ設定された自動起動の条件（受信機の設置された地域、および地震または津波の警報により起動するか、または、地震のみの警報により起動するかの区別）と一致するとき、映像変換装置３および映像表示装置４に電源を供給する。
【００２９】  緊急警報放送受信装置７を実現するより詳細なブロック図を図２に示す。ＴＭＣＣ受信装置６の出力はそのビット列を保持するメモリ部９に入力される。このメモリ部９はシフトレジスタ構造になっており、入力されたビットの値は保持され、ＴＭＣＣ信号１ビットの時間間隔ごとに図の左方向に１つずつシフトする。このシフトレジスタのビット長は、ＴＭＣＣ受信装置６の復調時に破棄される１ビットの位相基準を除いた２０３ビットである。シフトレジスタのビット長を超える過去の情報は破棄される。
【００３０】  メモリ部９に保持されたビット列のうち最も古い１６ビットに対して、フレーム同期情報を検出する同期検出部１０が接続される。この同期検出部１０は、ＡＲＩＢ規格ＳＴＤ−Ｂ３１により定められた同期ワード００１１０１０１１１１０１１１０または１１００１０１００００１０００１を検出したら１を、そうでなければ０を出力する論理回路である。この同期検出部１０の出力は演算部１１に接続される。
【００３１】  また、メモリ部９の一部は演算部１１にも接続される。演算部１１は、同期検出部１０により同期が検出されたときに、メモリ部９により保持されたビットのうち、ＴＭＣＣ信号の緊急警報フラグを表す２６番目のビットが１になり、かつ、ＴＭＣＣ信号のパリティビットのうち緊急警報フラグが０から１への変化に伴い変化するビット、具体的には１５４番目のビットが１になり、かつ、１９８番目のビットが０になることから、緊急警報フラグの状態を判定するものである。具体的には、この演算部１１は、２６番目のビットが１であることと、１５４番目のビットが１であることと、１９８番目のビットが０であることとのうち、例えば、２条件以上満たし、かつ、同期検出部１０により同期ワードが検出されたとき１を出力し、それ以外では０を出力するように動作する。即ち、この演算部１１は、緊急警報フラグが１である可能性の多数決により緊急警報フラグの状態を判定するものである。
【００３２】  自動起動判定装置８がチューナ２、また映像変換装置３および映像表示装置４の電源を制御するためのフローチャートを図３に示す。以下ステップ順に説明する。
【００３３】  Ｓ１（ステップ１）：自動起動判定装置８は、はじめに緊急警報放送受信装置７により緊急警報フラグが１であるかどうかの判定を行う。もし緊急警報フラグが０であれば初期状態ＳＴＡＲＴに遷移する。
【００３４】  Ｓ２（ステップ２）：もし緊急警報フラグが１であればチューナ２に電源が供給され、ＴＳの復調が開始される。
【００３５】  Ｓ３（ステップ３）：ＴＳを受け取った自動起動判定装置８はパケットＩＤが０番であるＰＡＴ（Ｐｒｏｇｒａｍ  Ａｓｓｏｃｉａｔｉｏｎ  Ｔａｂｌｅ：プログラム関連づけテーブル）信号パケットが現れるまで待機し、ＰＡＴ信号パケットが現れたならその記述内容からＰＭＴ信号パケットのパケットＩＤを抽出する。なお、携帯電話向け放送であるワンセグメント放送では、ＡＲＩＢ規格ＴＲ−Ｂ１４「地上デジタルテレビ運用規定」によりＰＭＴ信号のパケットＩＤが１６進数でＩＦＣ８に固定されているので、ワンセグメント専用受信機であればこのステップ３は省略可能である。
【００３６】  Ｓ４（ステップ４）：自動機動判定装置８は、ステップＳ３において抽出されたパケットＩＤ番号を持つＰＭＴ信号パケットが現れるまで待機し、ＰＭＴ信号パケットが現れたならばその記述内容のうち緊急警報放送記述子を抽出する。
【００３７】  Ｓ５（ステップ５）：緊急警報放送記述子が存在するかの判定が行われる。
【００３８】  Ｓ６（ステップ６）：ステップＳ５にて緊急警報放送記述子が存在しないと判定されたときは、ＴＭＣＣ信号の受信誤りによりチューナ２が誤起動されたことになるので、チューナ２の電源供給を遮断して、初期状態に遷移する。
【００３９】  Ｓ７（ステップ７）：一方、緊急警報放送記述子が存在するのであれば、その内容であるｓｅｒｖｉｃｅ＿ｉｄ（緊急警報放送を実施するＰＭＴ信号のパケットＩＤ）、ｓｔａｒｔ＿ｅｎｄ＿ｆｌａｇ（緊急警報時には１と、また、試験放送時には０となる）、ｓｉｇｎａｌ＿ｌｅｖｅｌ（地震警報では０と、また、津波警報では１となる）、およびａｒｅａ＿ｃｏｄｅ（１２ビット長の情報であり対象地域を示す）を読み取り、あらかじめ受信機で設定された地域設定（地域識別や郵便番号などと対応づけることが考えられる）と照合することにより、自動起動の判定が行われる。
【００４０】  Ｓ８（ステップ８）：ステップＳ７において自動起動しないと判定されたときは、ステップＳ６によりチューナ２の電源供給を遮断して、初期状態に遷移する。
【００４１】  Ｓ８（ステップ８）：ステップＳ７において自動起動すると判定されたときは、映像変換装置３および映像表示装置４の両方に対して電源供給を行い、ユーザに緊急状態にあることを提示する。
【００４２】  ここでは、緊急警報放送受信装置７が論理回路により、また自動起動判定装置８がプログラム駆動型回路により構成される例を示したが、緊急警報放送受信装置７をブログラム駆動型回路で構成してもよく、自動起動判定装置８を論理回路で構成してもよい。さらに、ＴＭＣＣ信号をベースバンド信号に変換して、そのベースバンド信号をＡ／Ｄ変換によりディジタル化して、ＴＭＣＣ受信装置６、緊急警報放送受信装置７、および自動起動判定装置８をＦＰＧＡ（Ｆｉｅｌｄ  Ｐｒｏｇｒａｍｍａｂｌｅ  Ｇａｔｅ  Ａｒｒａｙ）のハードウェア記述言語にて実現することも考えられる。
【００４３】  緊急警報フラグが０から１への変化に伴い変化するパリティビットは次のように求められる。
【００４４】  はじめに、現在行われている放送局電波のＴＭＣＣ信号を観測した。その結果、ＣＡＴＶ局の独自放送をのぞいては表１の通り、すべてワンセグメント放送と１２セグメント放送からなる固定的なパラメータで運用されていた。
【表１】
2014225853.tif 000003
【００４５】  ＴＭＣＣ信号のパリティビットには、ＴＭＣＣ信号情報全体が反映されているので緊急警報フラグの値が変化すると、複数のパリティビットが変化することが予想される。パリティ計算範囲において表１のＴＭＣＣ信号の値は１６進表記で３Ｄ  ２５  ８Ｂ  ４Ｂ  ３Ｆ  ＦＦ  ２５  ８Ｂ  ４Ｂ  ３Ｆ  ＦＦ  ＦＦ  ＦＣである。これをパリティ検査多項式ｘ８２＋ｘ７７＋ｘ７６＋ｘ７１＋ｘ６７＋ｘ６６＋ｘ５６＋ｘ５２＋ｘ４８＋ｘ４０＋ｘ３６＋ｘ３４＋ｘ２４＋ｘ２２＋ｘ１８＋ｘ１０＋ｘ４＋１で割り、あまりを求めたところ１６進表記で１Ｆ  ９Ｂ  ８３  ＢＡ  ０３  ＣＢ  １９  ＥＤ  Ｄ５  Ｂ５  １となった。この値がＴＭＣＣ信号のパリティビットに設定される。
【００４６】  ここで緊急警報フラグが０から１になったことを仮定すると、ＴＭＣＣの値は１６進表記で３Ｆ  ２５  ８Ｂ  ４Ｂ  ３Ｆ  ＦＦ  ２５  ８Ｂ  ４Ｂ  ３Ｆ  ＦＦ  ＦＦ  ＦＣに変化するので、同様にあまりを求めると１６進表記で１Ｄ  ９Ｂ  ８３  ＢＡ  ０３  ＣＢ  ３９  ＥＤ  Ｄ５  Ｂ５  １となった。即ち、あまり多項式ｘ５０の係数（ＴＭＣＣ信号の１５４ビット目）が０から１に、ｘ６の係数（ＴＭＣＣ信号の１９８ビット目）が１から０に変化したことになる。
【００４７】  次に本発明により期待できる性能の評価を行う。この性能評価ではＡＷＧＮ（Ａｄｄｉｔｉｖｅ  Ｗｈｉｔｅ  Ｇａｕｓｓｉａｎ  Ｎｏｉｓｅ：加法性ガウス雑音）でのＤＢＰＳＫのビット誤り率の理論式１を用いる。ここでγは、電波強度の大きさを表すもので、雑音密度に対する１ビットあたりのエネルギーを表し、Ｅｂ／Ｎ０を称される量である。
【数１】
2014225853.tif 000004
【００４８】  はじめに緊急警報放送が行われたときに、その状況を正しく検出できる確率を求める。緊急放送フラグのみを用いる従来法においては、ＴＭＣＣ信号の同期ビット１６ビットがすべて正しく受信でき、かつ、緊急警報フラグのあるＴＭＣＣ信号の２６ビット目が正しく受信できる確率であるので、その確率は、次式２で表される。
【数２】
2014225853.tif 000005
【００４９】  一方、本発明においては、ＴＭＣＣ信号の同期ビット１６ビットがすべて正しく受信でき、かつ、緊急警報フラグ１ビットとパリティビット２ビットのあわせて３ビットある中で２ビット以上が正しく受信できればよいので、その確率は次のようになる。
【数３】
2014225853.tif 000006
【００５０】  数式３の値を従来法（ｃｏｎｖｅｎｔｉｏｎａｌ）として、また数式４の値を本発明方法（ｐｒｏｐｏｓｅｄ）として、同一グラフ上にプロットしたものを図４に示す。図４より、Ｅｂ／Ｎ０の低い領域においてはＴＭＣＣ信号の同期ビットが正しく受信できなくなる可能性が高くなるので検出確率は小さいくなるが、Ｅｂ／Ｎ０の増加とともに検出確率が高くなることがわかる。また，緊急警報フラグのみを用いるものと本発明を用いるもののの間に特性差は見られない。
【００５１】  次に，緊急警報放送が行われていないにも関わらず、緊急警報フラグが１と判断される確率を誤検査確率と定義して、その確率を求める．緊急警報フラグ１ビットのみを用いる従来法においては、同期ビットがすべて正しく受信でき、かつ、ＥＷＳフラグが誤って受信される確率であるので、次式で表される。
【数４】
2014225853.tif 000007
【００５２】  一方、緊急警報フラグとパリティビットを用いる本発明方法での誤検査確率は、同期ビットがすべて正しく受信でき、かつ，３ビットのうち２ビットまたは３ビット誤る確率であり、次式で表される。
【数５】
2014225853.tif 000008
【００５３】  数式４、５、およびＤＢＰＳＫのビット誤り率理論式１を重ね書きしたグラフを図５に示す．本発明方法と従来法のグラフはともに、Ｅｂ／Ｎ０が一定以上高い領域において、その増加により誤検査確率は減少した。しかしＥｂ／Ｎ０の低い領域ではＴＭＣＣ信号の同期ビットが正しく受信できないために、誤検査確率が低下している。従って重要なのはその過渡領域である。図５より、本発明方法は従来法と比較して、誤検査確率が１桁程度低減している。これは誤ってチューナ２を起動してＰＭＴ信号を検査する頻度を表すものなので、１桁の誤検査確率の低下により消費電力を１／１０にできることが期待できる。
【００５４】  検出確率と誤検査確率は相反する性質があるので、その特性を観察するために横軸に検出確率を、縦軸に誤検査確率をプロットしたものを図６に示す。検出確率は高い方が、また、誤検査確率は低い方が好ましい。図６より、同一の検出確率となる条件では、本発明により誤検査確率が１桁程度低減できることがわかる。
【００５５】  本発明装置に、常時は点灯しないが緊急警報放送が行われている可能性のあるときに点灯する非常時の誘導灯１４を付加した例を図７に示す。この例ではテレビ放送の映像や音声を復調しない。緊急警報放送が行われていないときに、復調誤りにより誘導灯１４が点灯することもあり得るが、その頻度を低くして不要な電力消費を低減したことに特徴がある。
【００５６】  図７において、テレビ放送電波はアンテナ２０により受信される。本発明におけるテレビ受信機においてもアンテナ１を用いているが、誘導灯１４は映像や音声を復調しないので、アンテナ２０はアンテナ１より小さなものを用いることも可能である。
【００５７】  アンテナ２０で受信した電波を、ＴＭＣＣ受信装置２でＴＭＣＣ信号を復調した後、緊急警報放送受信装置３により緊急警報フラグ状態の推定が行われる。
【００５８】  緊急警報放送受信装置３の出力はリレー回路１３に接続され、さらに誘導灯１４に接続されている。緊急警報放送が行われたと判断された時には、リレー回路１３の接点が接となり、誘導灯１４が点灯する。なお、このリレー回路１３は、緊急警報放送が行われたときに必ずしも誘導灯１４を点灯させる必要はなく、例えば、昼間時には点灯させなくてもかまわない。
【産業上の利用可能性】
【００５９】  ＩＳＤＢ−Ｔ方式に基づくデジタルテレビ放送にて行われる緊急警報放送を待機受信する用途に適用可能である。
【符号の説明】
【００６０】１、１２  アンテナ
２  地上デジタルテレビ受信チューナ
３  映像変換装置
４  映像表示装置
５  地上デジタルテレビを受信するために必要な機能ブロック全体
６  ＴＭＣＣ受信装置
７  緊急警報放送受信装置
８  自動起動判定装置
９  メモリ部
１０  同期検出部
１１  演算部
１３  リレー回路
１４  誘導灯
【図１】
2014225853.tif 000009
【図２】
2014225853.tif 000010
【図３】
2014225853.tif 000011
【図４】
2014225853.tif 000012
【図５】
2014225853.tif 000013
【図６】
2014225853.tif 000014
【図７】
2014225853.tif 000015